(57)【要約】【課題】優先度の高い基地局装置の情報の移動局装置における検出確率を高め、その移動局装置のセルサーチの性能を向上させることができる通信システム、基地局装置及び通信方法を提供する。【解決手段】基地局装置は、フレーム内で同一の信号系列を用いる第１の同期チャネルの信号、および、フレーム内で異なる複数の信号系列を用いる第２の同期チャネルの信号に対し、移動局装置に送信する基地局装置の情報を優先度に応じて配置する信号配置部と、第１の同期チャネルの信号および第２の同期チャネルの信号を移動局装置に送信する送信部とを備える。【選択図】図４
2009038786.tif 000002
【特許請求の範囲】
【請求項１】
基地局装置の情報が複数のサブキャリアを用いる同期チャネルの信号系列の組み合わせで表されており、基地局装置から移動局装置に前記同期チャネルの信号を送信する通信システムであって、
前記基地局装置は、
フレーム内で同一の信号系列を用いる第１の同期チャネルの信号、および、前記フレーム内で異なる複数の信号系列を用いる第２の同期チャネルの信号に対し、前記移動局装置に送信する基地局装置の情報を優先度に応じて配置する信号配置部と、
前記第１の同期チャネルの信号および前記第２の同期チャネルの信号を前記移動局装置に送信する送信部と、
を備えることを特徴とする通信システム。
【請求項２】
前記信号配置部は、優先度が高い情報を前記第１の同期チャネルの信号に配置し、優先度が低い情報を前記第２の同期チャネルの信号に配置することを特徴とする請求項１に記載の通信システム。
【請求項３】
前記第１の同期チャネルの信号と、前記第２の同期チャネルの信号は、前記フレームのサブキャリア毎に交互に配置されることを特徴とする請求項１に記載の通信システム。
【請求項４】
前記第１の同期チャネルの信号には、前記第２の同期チャネルの信号よりも系列長が長い信号系列が使用され、前記第１の同期チャネルの信号は全サブキャリアに均等に配置されることを特徴とする請求項１に記載の通信システム。
【請求項５】
前記第１の同期チャネルの信号と、前記第２の同期チャネルの信号は、サブキャリア毎に実軸と虚軸に交互に配置されることを特徴とする請求項１に記載の通信システム。
【請求項６】
前記第１の同期チャネルの信号は、周波数方向に複数回繰り返し配置され、前記第２の同期チャネルの信号と、サブキャリア毎に実軸と虚軸に交互に配置されることを特徴とする請求項１に記載の通信システム。
【請求項７】
前記第１の同期チャネルの信号は偶数サブキャリアと奇数サブキャリアとで異なる軸に配置され、前記第２の同期チャネルの信号は前記第１の同期チャネルの信号とは異なる軸に配置されることを特徴とする請求項１に記載の通信システム。
【請求項８】
前記第１の同期チャネルの信号は、前記第１の同期チャネルの信号を変調した信号と交互にサブキャリア上に配置されるとともに、前記第２の同期チャネルの信号とサブキャリア毎に交互に配置されることを特徴とする請求項１に記載の通信システム。
【請求項９】
前記第１の同期チャネルの信号は、系列長が２のべき乗の場合に未使用となる両端のサブキャリアと、それ以外のサブキャリアにおいては、前記第２の同期チャネルの信号と交互に配置されることを特徴とする請求項１に記載の通信システム。
【請求項１０】
前記第２の同期チャネルの信号は、前記第１の同期チャネルの信号の位相に基づいて生成されることを特徴とする請求項１に記載の通信システム。
【請求項１１】
前記第１の同期チャネルの信号系列は、所定の規則に基づく第１のグループに分けられ、
前記第２の同期チャネルの信号系列は、前記第１のグループと、優先度の低い基地局装置の情報の組み合わせ数とに基づく第２のグループに分けられ、
前記基地局装置は、隣接セル間では優先的に異なる前記第２のグループの同期チャネルの信号を設定することを特徴とする請求項１に記載の通信システム。
【請求項１２】
基地局装置の情報が複数のサブキャリアを用いる同期チャネルの信号系列の組み合わせで表されており、移動局装置に前記同期チャネルの信号を送信する基地局装置であって、
フレーム内で同一の信号系列を用いる第１の同期チャネルの信号、および、前記フレーム内で異なる複数の信号系列を用いる第２の同期チャネルの信号に対し、前記移動局装置に送信する基地局装置の情報を優先度に応じて配置する信号配置部と、
前記第１の同期チャネルの信号および前記第２の同期チャネルの信号を前記移動局装置に送信する送信部と、
を備えることを特徴とする基地局装置。
【請求項１３】
基地局装置の情報が複数のサブキャリアを用いる同期チャネルの信号系列の組み合わせで表されており、基地局装置から移動局装置に前記同期チャネルの信号を送信する通信方法であって、
前記基地局装置は、
フレーム内で同一の信号系列を用いる第１の同期チャネルの信号、および、前記フレーム内で異なる複数の信号系列を用いる第２の同期チャネルの信号に対し、前記移動局装置に送信する基地局装置の情報を優先度に応じて配置する信号配置過程と、
前記信号配置過程で前記第１の同期チャネルの信号および前記第２の同期チャネルの信号を前記移動局装置に送信する送信過程と、
を実行することを特徴とする通信方法。
【発明の詳細な説明】
【技術分野】
【０００１】
本発明は、通信システム、基地局装置及び通信方法、特に、複数のサブキャリアを用いて通信を行う通信システム、基地局装置及び通信方法に関する。
【背景技術】
【０００２】
現在、第３世代の周波数帯に第４世代向けに検討されていた技術の一部を導入することによって、通信速度の高速化を目的としたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降、ＥＵＴＲＡと称する）が標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）にて検討されている（非特許文献１）。
【０００３】
ＥＵＴＲＡでは、通信方式として、マルチパス干渉に強く、高速伝送に適したＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多元接続）方式を採用する。
また、ＥＵＴＲＡに関するデータ転送制御やリソース管理制御といった上位レイヤの動作に関する詳細仕様は、低遅延、低オーバーヘッド化を実現し、更に可能な限り簡易な技術が採用される。
【０００４】
セルラ移動通信方式では、移動局装置が基地局装置の通信エリアであるセルまたはセクタ内において、事前に基地局装置と無線同期している必要があることから、基地局装置では規定の構成から成る同期チャネル（ＳＣＨ：Ｓｙｎｃｈｒｏｎｉｚａｔｉｏｎ  Ｃｈａｎｎｅｌ、又は、Ｓｙｎｃｈｏｎｉｚａｔｉｏｎ  Ｓｉｇｎａｌ）を送信し、移動局装置にて同期チャネルＳＣＨを検出することで基地局装置と同期を取る。
【０００５】
なお、第３世代の通信方式の一つであるＷ−ＣＤＭＡ（Ｗｉｄｅｂａｎｄ−Ｃｏｄｅ  Ｄｉｖｉｓｉｏｎ  Ｍｕｌｔｉｐｕｌ  Ａｃｃｅｓｓ：広帯域符号分割多元接続）方式では、同期チャネルＳＣＨとしてプライマリ同期チャネルＰ−ＳＣＨ（Ｐｒｉｍａｒｙ  ＳＣＨ）とセカンダリ同期チャネルＳ−ＳＣＨ（Ｓｅｃｏｎｄａｒｙ  ＳＣＨ）が同じタイミングで符号分割多重されて送信される。
【０００６】
図２７に示すように、移動局装置は、プライマリ同期チャネルＰ−ＳＣＨのレプリカ信号と受信信号との相関を取ることによってスロット同期（ステップＳ１）を取得し、更にセカンダリ同期チャネルＳ−ＳＣＨのレプリカ信号と受信信号との相関を取り、得られたセカンダリ同期チャネルＳ−ＳＣＨの送信パターンによってフレーム同期を取得すると共に、基地局装置を区別するためのセルＩＤ（Ｉｄｅｎｔｉｆｉｃａｔｉｏｎ：識別情報）のグループを特定する（ステップＳ２）。
更にセルＩＤグループから基地局装置のセルＩＤを特定するために、共通パイロットチャネル（Ｃｏｍｍｏｎ  Ｐｉｌｏｔ  Ｃｈａｎｎｅｌ：ＣＰＩＣＨ）の品質を測定し、最も品質の高い制御パイロットチャネルＣＰＩＣＨから、対応するセルＩＤを検出する（ステップＳ３）。この技術については、非特許文献１に記載されている（非特許文献１の３５頁〜４５頁の“２−２−２．セルサーチ”参照）。
上記の一連の制御、すなわち、移動局装置が基地局装置と無線同期を取り、更にその基地局装置のセルＩＤを特定するまでの３段階のステップ制御をセルサーチ手順と呼ぶ。
【０００７】
セルサーチは、初期セルサーチと周辺セルサーチとに分類される。初期セルサーチとは移動局装置が起動後に最も下り無線品質の良好なセルを検索し、そのセルに在圏するために行うセルサーチであり、周辺セルサーチとは初期セルサーチ後に、移動局装置がハンドオーバー先の候補セルを検索するために行うセルサーチのことである。
【０００８】
ＥＵＴＲＡは、ＯＦＤＭＡ方式を用いたマルチキャリア通信であるため、同期チャネルＳＣＨを使用するものの、前述したＷ−ＣＤＭＡ方式のセルサーチとは異なるチャネルマッピングと、セルサーチ制御が必要である。例えば、セルサーチ手順はＷ−ＣＤＭＡと異なり、２ステップで完了することも可能である。
【０００９】
図２８は、ＥＵＴＲＡにおける無線フレームの構成の一例を示す図である。図２８では、横軸に時間軸をとっており、縦軸に周波数軸をとっている。無線フレームは、周波数軸を複数のサブキャリアの集合で構成される一定の周波数領域（ＢＲ）と、一定の送信時間間隔（スロット）で構成される領域を一単位として構成されている（非特許文献２）。
【００１０】
また、１スロットの整数倍から構成される送信時間間隔をサブフレームと呼ぶ。更に、複数のサブフレームをまとめたものをフレームと呼ぶ。図２８では、１サブフレームが２スロットから構成される場合を示している。この一定の周波数領域（ＢＲ）と１スロット長で区切られた領域を、基地局装置から移動局装置に対する下りの信号ではリソースブロックと呼び、移動局装置から基地局装置に対する上りの信号ではリソースユニットと呼ぶ。
【００１１】
図２８中のＢＷはシステム帯域幅を示しており、ＢＲはリソースブロック（またはリースユニット）の帯域幅を示している。
【００１２】
図２９は、ＥＵＴＲＡにおける同期チャネルＳＣＨ（Ｐ−ＳＣＨ、Ｓ−ＳＣＨ）のフレーム内の位置を示した図である。図２９では、１フレームが１０サブフレームから構成されており、システム帯域幅ＢＷが６リソースブロック帯域幅から構成されている。
プライマリ同期チャネルＰ−ＳＣＨは、システム帯域幅の中心６リソースブロック（７２サブキャリア使用）において、サブフレーム番号＃０及び＃５の先頭スロットの最終シンボルに配置される。セカンダリ同期チャネルＳ−ＳＣＨは、プライマリ同期チャネルＰ−ＳＣＨの直前のシンボルに配置される。
【００１３】
また、プライマリ同期チャネルＰ−ＳＣＨは３つの信号系列が用意され、異なるプライマリ同期チャネルＰ−ＳＣＨがセルＩＤの一部の情報を示す。また、セカンダリ同期チャネルＳ−ＳＣＨも同様にセルＩＤの一部を示すため、異なる複数の信号系列の識別が必要であり、更にフレームタイミング、及び送信アンテナ数といった当該基地局装置固有の情報を示す可能性がある。そのため、セカンダリ同期チャネルＳ−ＳＣＨから得られる信号系列の組み合わせ数を多く取る必要がある。
【００１４】
図３０は、セカンダリ同期チャネルＳ−ＳＣＨの信号系列とチャネル構造の一例を示したものである（非特許文献３）。第１のＳ−ＳＣＨ信号（Ｓ−ＳＣＨ＃１）と第２のＳ−ＳＣＨ信号（Ｓ−ＳＣＨ＃２）は、それぞれ３２系列長である３２種類の直交系列から一つが選択される。このような信号としては、アダマール系列やＧｏｌａｙ系列などが知られている。Ｓ−ＳＣＨ＃１とＳ−ＳＣＨ＃２は、サブキャリア毎に交互に配置される。
【００１５】
図３０の方法は、３２×３２＝１０２４通りの組み合わせが可能であり、上述した基地局装置の情報を含むのに十分な組み合わせ数が得られる。更に、非特許文献３には、周波数ホッピング情報をホッピングパターンとシフトパターンとに分けて、第１のＳ−ＳＣＨ信号（Ｓ−ＳＣＨ＃１）と第２のＳ−ＳＣＨ信号（Ｓ−ＳＣＨ＃２）にそれぞれ分けて載せることで、第１のＳ−ＳＣＨ信号（Ｓ−ＳＣＨ＃１）の検出を省略する方法が提案されている。
【００１６】
また、非特許文献４には、第１のＳ−ＳＣＨ信号（Ｓ−ＳＣＨ＃１）と第２のＳ−ＳＣＨ信号（Ｓ−ＳＣＨ＃２）とを別軸に配置し、受信性能を向上させる方法が提案されている。
【非特許文献１】立川  敬二，“Ｗ−ＣＤＭＡ移動通信方式”，ＩＳＢＮ４−６２１−０４８９４−５，平成１３年６月２５日初版発行、丸善株式会社
【非特許文献２】３ＧＰＰ  ＴＲ（Ｔｅｃｈｎｉｃａｌ  Ｒｅｐｏｒｔ）３６．２１１、Ｐｈｙｓｉｃａｌ  Ｃｈａｎｎｅｌｓ  ａｎｄ  Ｍｏｄｕｌａｌｔｉｏｎ．Ｖ１．１．０，（ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ）
【非特許文献３】ＮＴＴ  ＤｏＣｏＭｏ，“Ｓ−ＳＣＨ  Ｓｔｒｕｃｔｕｒｅ  ｆｏｒ  Ｅ−ＵＴＲＡ  Ｄｏｗｎｌｉｎｋ”，Ｒ１−０７２４１４，３ＧＰＰ  ＴＳＧ  ＲＡＮ  ＷＧ１＃４９，Ｋｏｂｅ，  Ｊａｐａｎ，Ｍａｙ  ７−１１，２００７
【非特許文献４】ＬＧ  Ｅｌｅｃｔｒｏｎｉｃｓ，“Ｓｅｃｏｎｄａｒｙ−Ｓｙｎｃｈｒｏｎｉｚａｔｉｏｎ  Ｃｈａｎｎｅｌ  Ｄｅｓｉｇｎ”，Ｒ１−０７２３２８，３ＧＰＰ  ＴＳＧ  ＲＡＮ  ＷＧ１＃４９，Ｋｏｂｅ，  Ｊａｐａｎ，Ｍａｙ  ７−１１，２００７
【発明の開示】
【発明が解決しようとする課題】
【００１７】
しかしながら、従来の技術では、基地局装置の情報について優先度を考慮せずに同期チャネルに配置していたため、同期チャネルの通信状態が悪い場合、高優先度の情報を検出するような制御が不可能であり、そのため、基地局装置が送信した信号の移動局装置における検出確率が低下し、その移動局装置のセルサーチの性能が劣化するという問題があった。
【００１８】
本発明の目的は、上記事情に鑑みてなされたものであり、その目的は、優先度の高い基地局装置の情報の移動局装置における検出確率を高め、その移動局装置のセルサーチの性能を向上させることができる通信システム、基地局装置及び通信方法を提供することにある。
【課題を解決するための手段】
【００１９】
（１）  本発明は、上記課題を解決するためになされたもので、本発明の一態様による通信システムは、基地局装置の情報が複数のサブキャリアを用いる同期チャネルの信号系列の組み合わせで表されており、基地局装置から移動局装置に前記同期チャネルの信号を送信する通信システムであって、前記基地局装置は、フレーム内で同一の信号系列を用いる第１の同期チャネルの信号、および、前記フレーム内で異なる複数の信号系列を用いる第２の同期チャネルの信号に対し、前記移動局装置に送信する基地局装置の情報を優先度に応じて配置する信号配置部と、前記第１の同期チャネルの信号および前記第２の同期チャネルの信号を前記移動局装置に送信する送信部とを備える。
本発明では、基地局装置から移動局装置に送信する情報を、その情報の優先度に応じて第１の同期チャネルに配置するか、第２の同期チャネルに配置するかについて変えるようにした。これにより、優先度の高い情報を第１の同期チャネルに配置して、基地局装置から移動局装置に送信することで、その情報の移動局装置における検出確率を高めることができ、その移動局装置のセルサーチの性能を向上させることができる。
【００２０】
（２）  また、本発明の一態様による通信システムの前記信号配置部は、優先度が高い情報を前記第１の同期チャネルに配置し、優先度が低い情報を前記第２の同期チャネルに配置する。
【００２１】
（３）  また、本発明の一態様による通信システムは、前記第１の同期チャネルの信号と
、前記第２の同期チャネルの信号は、前記フレームのサブキャリア毎に交互に配置される。
【００２２】
（４）  また、本発明の一態様による通信システムは、前記第１の同期チャネルの信号には、前記第２の同期チャネルの信号よりも系列長が長い信号系列が使用され、前記第１の同期チャネルの信号は全サブキャリアに均等に配置される。
【００２３】
（５）  また、本発明の一態様による通信システムは、前記第１の同期チャネルの信号と、前記第２の同期チャネルの信号は、サブキャリア毎に実軸と虚軸に交互に配置される。
【００２４】
（６）  また、本発明の一態様による通信システムは、前記第１の同期チャネルの信号は、周波数方向に複数回繰り返し配置され、前記第２の同期チャネルの信号と、サブキャリア毎に実軸と虚軸に交互に配置される。
【００２５】
（７）  また、本発明の一態様による通信システムは、前記第１の同期チャネルの信号は偶数サブキャリアと奇数サブキャリアとで異なる軸に配置され、前記第２の同期チャネルの信号は前記第１の同期チャネルの信号とは異なる軸に配置される。
【００２６】
（８）  また、本発明の一態様による通信システムは、前記第１の同期チャネルの信号は、前記第１の同期チャネルの信号を変調した信号と交互にサブキャリア上に配置されるとともに、前記第２の同期チャネルの信号とサブキャリア毎に交互に配置される。
【００２７】
（９）  また、本発明の一態様による通信システムは、前記第１の同期チャネルの信号は、系列長が２のべき乗の場合に未使用となる両端のサブキャリアと、それ以外のサブキャリアにおいては、前記第２の同期チャネルの信号と交互に配置される。
【００２８】
（１０）  また、本発明の一態様による通信システムは、前記第２の同期チャネルの信号は、前記第１の同期チャネルの信号の位相に基づいて生成される。
【００２９】
（１１）  また、本発明の一態様による通信システムは、前記第１の同期チャネルの信号系列は、所定の規則に基づく第１のグループに分けられ、前記第２の同期チャネルの信号系列は、前記第１のグループと、優先度の低い基地局装置の情報の組み合わせ数とに基づく第２のグループに分けられ、前記基地局装置は、隣接セル間では優先的に異なる前記第２のグループの同期チャネルの信号を設定する。
【００３０】
（１２）  また、本発明の一態様による基地局装置は、基地局装置の情報が複数のサブキャリアを用いる同期チャネルの信号系列の組み合わせで表されており、移動局装置に前記同期チャネルの信号を送信する基地局装置であって、フレーム内で同一の信号系列を用いる第１の同期チャネルの信号、および、前記フレーム内で異なる複数の信号系列を用いる第２の同期チャネルの信号に対し、前記移動局装置に送信する基地局装置の情報を優先度に応じて配置する信号配置部と、前記第１の同期チャネルの信号および前記第２の同期チャネルの信号を前記移動局装置に送信する送信部とを備える。
【００３１】
（１３）  また、本発明の一態様による通信方法は、基地局装置の情報が複数のサブキャリアを用いる同期チャネルの信号系列の組み合わせで表されており、基地局装置から移動局装置に前記同期チャネルの信号を送信する通信方法であって、前記基地局装置は、フレーム内で同一の信号系列を用いる第１の同期チャネルの信号、および、前記フレーム内で異なる複数の信号系列を用いる第２の同期チャネルの信号に対し、前記移動局装置に送信する基地局装置の情報を優先度に応じて配置する信号配置過程と、前記第１の同期チャネルの信号および前記第２の同期チャネルの信号を前記移動局装置に送信する送信過程とを実行する。
【発明の効果】
【００３２】
本発明の通信システム、基地局装置及び通信方法によれば、優先度の高い基地局装置の情報の移動局装置における検出確率を高め、その移動局装置のセルサーチの性能を向上させることができる。
【発明を実施するための最良の形態】
【００３３】
以下、本発明の実施の形態について図面を参照しながら説明する。
（第１の実施形態）
図１は、本発明の第１の実施形態による基地局装置１００ａの構成を示す概略ブロック図である。図１において、基地局装置１００ａは、受信部１１ａ、復調部１２ａ、制御部１３ａ、データ処理部１４ａ、制御信号処理部１５ａ、符号部１６ａ、変調部１７ａ、ＳＣＨ信号生成部１８ａ（信号配置部とも称する）、送信部１９ａ、上位レイヤ２０ａから構成される。
【００３４】
なお、本実施形態を適用する無線通信システムでは、物理チャネルは、データチャネルと制御チャネルとに分けられる。制御チャネルには、同期チャネルＳＣＨ以外にも、報知情報チャネル、ランダムアクセスチャネル、下りリファレンスシグナル、上りリファレンスシグナル、下り共用制御チャネル、上り共用制御チャネルがあるが、これらの物理チャネルの詳細な説明については、本発明の本質ではないので省略し、以下、同期チャネルＳＣＨを中心に説明を行う。
【００３５】
図１において、基地局装置１００ａから移動局装置２００ａに信号を送信する場合には、上位レイヤ２０ａからの送信要求を契機として、ユーザデータ及び制御データが符号部１６ａに入力される。制御データは、報知情報チャネル、下りリファレンスシグナル、下り共用制御チャネルを含む。また、上位レイヤ２０ａより制御部１３ａへ制御情報が入力される。
【００３６】
符号部１６ａは、入力されたユーザデータ及び制御データを符号化する。符号部１６ａにて符号化されたユーザデータ及び制御データは、変調部１７ａに入力される。
変調部１７ａは、制御部１３ａからの制御情報に従って、各送信データを適切な変調方式で変調処理を行う。変調部１７ａで変調されたデータは、送信部１９ａに入力され、適切に電力制御されて、アンテナ（図示省略）を介して無線周波数にて、移動局装置２００ａに送信される。
【００３７】
ＳＣＨ信号生成部１８ａには、基地局装置１００ａに割り振られたセルＩＤ、送信アンテナ数、同期チャネルＳＣＨが送信される送信サブフレーム番号（フレームタイミング）がセル情報として上位レイヤ２０ａから入力される。ＳＣＨ信号生成部１８ａは、セル情報に対応するプライマリ同期チャネルＰ−ＳＣＨとセカンダリ同期チャネルＳ−ＳＣＨの組み合わせを選択し、プライマリ同期チャネルＰ−ＳＣＨの信号とセカンダリ同期チャネルＳ−ＳＣＨの信号をそれぞれ生成する。
【００３８】
ＳＣＨ信号生成部１８ａは、フレーム内で同一の信号系列を用いる第１の同期チャネル（Ｓ−ＳＣＨ＃１（図４参照））、および、そのフレーム内で異なる複数の信号系列を用いる第２の同期チャネル（Ｓ−ＳＣＨ＃２＿１、Ｓ−ＳＣＨ＃２＿２（図４参照））に対し、移動局装置２００ａに送信する基地局装置の情報を優先度に応じて配置する。より具体的には、ＳＣＨ信号生成部１８ａは、優先度が高い情報を第１の同期チャネルの信号に配置し、優先度が低い情報を前記第２の同期チャネルの信号に配置する。優先度が高い情報にはセルＩＤ、セルＩＤグループ、基地局装置種別（マクロセル、マイクロセルなど）などがあり、優先度が低い情報にはフレームタイミング情報、送信アンテナ数情報、リファレンスシグナル情報（ホッピングパターンなど）などがある。この優先度の高低は、予め情報の内容に応じて設定され、基地局装置１００ａが内蔵するメモリ（図示省略）に記録されている。
【００３９】
本発明の第１の実施形態では、後に説明するように、セカンダリ同期チャネルＳ−ＳＣＨとして、フレーム内で同一の系列を用いるＳ−ＳＣＨ信号（Ｓ−ＳＣＨ＃１）と、フレーム内で異なる系列を用いるＳ−ＳＣＨ信号（Ｓ−ＳＣＨ＃２）を用意し、更にＳ−ＳＣＨ信号によって通知する情報のうち、高優先度の情報をＳ−ＳＣＨ信号（Ｓ−ＳＣＨ＃１）に多く配置して送信する。ＳＣＨ信号生成部１８ａにて生成されたプライマリ同期チャネルＰ−ＳＣＨの信号及びセカンダリ同期チャネルＳ−ＳＣＨの信号は送信部１９ａへ入力されて送信される。
【００４０】
移動局装置２００ａからの信号を基地局装置１００ａで受信する場合には、受信信号は、アンテナ（図示省略）を介して受信部１１ａにおいて受信され、復調部１２ａに送られる。復調部１２ａで、受信信号が復調される。復調部１２ａからの信号は、制御部１３ａからの指示される制御情報を基に、データチャネルと制御チャネルに分けられる。
【００４１】
データチャネルの信号はデータ処理部１４ａに送られる。データ処理部１４ａでユーザデータが復号され、この復号されたユーザデータは、上位レイヤ２０ａに送られる。
【００４２】
また、制御チャネルの信号は制御信号処理部１５ａに送られ、制御信号処理部１５ａで復号される。この復号された制御データは、上位レイヤ２０ａに送られる。また、制御部１３ａは、復号、スケジュールリングの制御に関連する制御情報を各ブロックに送信している。
なお、これら以外のチャネルの場合、それぞれ他のチャネル制御部で処理される。他のチャネルの制御については、本発明の本質ではないので、その説明を省略する。
【００４３】
図２は、本発明の第１実施形態による移動局装置２００ａの構成を示す概略ブロック図である。図２において、移動局装置２００ａは、受信部５１ａ、制御部５２ａ、復調部５３ａ、制御信号処理部５４ａ、データ処理部５５ａ、下り同期調整部５６ａ、セルサーチ部５７ａ、セル情報処理部５８ａ、符号部５９ａ、変調部６０ａ、送信部６１ａ、上位レイヤ６２ａから構成される。
【００４４】
移動局装置２００ａから基地局装置１００ａに信号を送信する場合には、上位レイヤ６２ａからのユーザデータ及び制御データが符号部５９ａに入力され、送信データとして符号化される。制御データは上りリファレンスシグナルと上り共用制御チャネルのデータを含む。また、上位レイヤ６２ａから制御部５２ａへチャネル情報や送信制御情報の制御情報が入力される。送信制御情報は、上りチャネル及び下りチャネルに関する送受信のタイミングや多重方法、変調又は復調情報が含まれている。符号部５９ａにて符号化された各送信データは変調部６０ａに入力される。
【００４５】
変調部６０ａは、制御部５２ａからの指示される情報に従って、送信データを適切な変調方式で変調処理を行う。変調部６０ａで変調されたデータは送信部６１ａに入力され、適切に電力制御されて、アンテナ（図示省略）を介して無線周波数にて送信される。
【００４６】
基地局装置１００ａからの信号を移動局装置２００ａで受信する場合には、受信信号は、アンテナ（図示省略）を介して受信部５１ａで受信される。受信部５１ａからの信号は、制御部５２ａからの指示に基づき、セルサーチ手順中であれば、セルサーチ部５７ａへと送られ、セルサーチ手順中以外であれば、復調部５３ａに送られる。
【００４７】
復調部５３ａで、制御部５２ａより入力されるチャネル情報や受信制御情報を基に、データが復調される。復調部５３ａからの信号は、データチャネルと制御チャネルとに分類される。分類された各チャネルは、データチャネルであればデータ処理部５５ａに送られ、制御チャネルであれば制御信号処理部５４ａに送られる。
データ処理部５５ａは、ユーザデータを取り出して上位レイヤ６２ａへと送信する。制御信号処理部５４ａは、制御データを取り出して上位レイヤ６２ａへと送信する。
【００４８】
前述したように、図１に示した基地局装置１００ａのＳＣＨ信号生成部１８ａでは、同期チャネルＳＣＨとして、Ｐ−ＳＣＨ信号及びＳ−ＳＣＨ信号が生成され、このＰ−ＳＣＨ信号及びＳ−ＳＣＨ信号が基地局装置１００ａから送られている。セルサーチ手順中であれば、移動局装置２００ａの受信部５１ａは、このＰ−ＳＣＨ信号及びＳ−ＳＣＨ信号を受信して、セルサーチ部５７ａに送る。セルサーチ部５７ａは、プライマリ同期チャネルＰ−ＳＣＨを検出して、スロットタイミングを取得する。更に、Ｓ−ＳＣＨを検出し、得られたＳ−ＳＣＨの送信パターンによってフレームタイミングを取得すると共に、基地局装置１００ａを区別するためのセルＩＤのグループ、送信アンテナ数情報などを取得する。
【００４９】
プライマリ同期チャネルＰ−ＳＣＨおよびセカンダリ同期チャネルＳ−ＳＣＨによって取得したタイミング情報は下り同期調整部５６ａに送信され、受信部５１ａの信号受信タイミングを調整するために使用される。また、セカンダリ同期チャネルＳ−ＳＣＨから取得したセル情報は、セル情報処理部５８ａへと送信され、上位レイヤ６２ａに転送される。
【００５０】
図３は、本発明の第１の実施形態による移動局装置２００ａのセルサーチ部５７ａの構成を示す概略ブロック図である。セルサーチ部５７ａは、セルサーチ制御部１０１、相関部１０２、レプリカ信号選択部１０３、Ｐ−ＳＣＨ判定部１０４、Ｓ−ＳＣＨ判定部１０５、Ｐ−ＳＣＨ信号保持部１０６、Ｓ−ＳＣＨ信号保持部１０７、合成部１０８及び１０９から構成されている。
【００５１】
セルサーチ制御部１０１は、プライマリ同期チャネルＰ−ＳＣＨとセカンダリ同期チャネルＳ−ＳＣＨとでは、使用される符号が異なるため、別制御とする必要があることから、セルサーチにて検出するチャネルがプライマリ同期チャネルＰ−ＳＣＨなのかセカンダリ同期チャネルＳ−ＳＣＨなのかをセルサーチ手順のステップに応じて判定する。
【００５２】
次に、検出対象の同期チャネルに対応したレプリカ信号を相関部１０２へ入力するための制御情報をレプリカ信号選択部１０３に設定する。プライマリ同期チャネルＰ−ＳＣＨ又はセカンダリ同期チャネルＳ−ＳＣＨの信号系列には、それぞれ複数の候補が存在するため、各々の信号系列を同定するため、既知の信号系列情報（振幅、位相）を元に生成したレプリカ信号との相関検波処理が必要となる。例えば、プライマリ同期チャネルＰ−ＳＣＨとして３つの候補があり、セカンダリ同期チャネルＳ−ＳＣＨを構成するＳ−ＳＣＨ＃１およびＳ−ＳＣＨ＃２として３２の候補がある。
【００５３】
次に、レプリカ信号選択部１０３は、セルサーチ制御部１０１の指示に従い、プライマリ同期チャネルＰ−ＳＣＨのレプリカ信号又はセカンダリ同期チャネルＳ−ＳＣＨ（Ｓ−ＳＣＨ＃１またはＳ−ＳＣＨ＃２）のレプリカ信号を選択し、選択した信号を相関部１０２に入力する。
【００５４】
相関部１０２は、受信信号と選択されたレプリカ信号との相関検出を行う。相関部１０２によって得られた相関信号は、Ｐ−ＳＣＨ相関信号であれば、合成部１０８を介してＰ−ＳＣＨ判定部１０４に送られ、Ｓ−ＳＣＨ相関信号であれば、合成部１０９を介してＳ−ＳＣＨ判定部１０５に送られる。
また、同時にＰ−ＳＣＨ相関信号はＰ−ＳＣＨ信号保持部１０６に記憶され、Ｓ−ＳＣＨ相関信号はＳ−ＳＣＨ信号保持部１０７に記憶される。Ｐ−ＳＣＨ信号保持部１０６に記憶されたＰ−ＳＣＨ相関信号及びＳ−ＳＣＨ信号保持部１０７に記憶されたＳ−ＳＣＨ相関信号は、合成部１０８及び１０９により、必要に応じて新規に入力されたＰ−ＳＣＨ相関信号及びＳ−ＳＣＨ相関信号と合成される。この場合、雑音など影響によって受信信号とレプリカ信号との相関が低く、相関信号を検出できなかったときでも、数回分の相関信号を足し合わせることで、相関信号を検出することができる。
例えば、１回目の検出で閾値を超える系列がなかったとき、１回目の検出結果を保持しておき、２回目の相関信号と１回目の相関信号とを合成することによって、系列を特定する。なお、１回目の検出で使用する閾値と、２回目の検出で使用する閾値は同じでも異なっていても良い。
【００５５】
Ｐ−ＳＣＨ判定部１０４は、相関部１０２より出力されたＰ−ＳＣＨ相関信号の信号品質を測定し、ある一定以上の品質であればプライマリ同期チャネルＰ−ＳＣＨを正しく検出したと判定し、得られたＰ−ＳＣＨ検出情報をセルサーチ制御部１０１に送り、また、同時に、スロットタイミング情報、Ｐ−ＳＣＨ系列情報を出力する。
【００５６】
Ｓ−ＳＣＨ判定部１０５は、相関部１０２より出力されたＳ−ＳＣＨ相関信号の信号品質を測定し、ある一定以上の品質であればセカンダリ同期チャネルＳ−ＳＣＨを正しく検出したと判定し、得られたＳ−ＳＣＨ検出情報をセルサーチ制御部１０１に送り、また、同時にセカンダリ同期チャネルＳ−ＳＣＨの系列の組み合わせから得られるフレームタイミング情報、セルＩＤ、送信アンテナ数情報を出力する。
【００５７】
なお、これら以外のチャネルの場合の制御については、本発明の本質ではないので、その説明を省略する。また、各ブロックの動作は、上位レイヤ６２ａによって統括的に制御される。
【００５８】
上述のように、本実施形態を適用する通信システムでは、同期チャネルＳＣＨとして、基地局装置１００ａから移動局装置２００ａに、Ｐ−ＳＣＨ信号及びＳ−ＳＣＨ信号が送られる。移動局装置２００ａは、プライマリ同期チャネルＰ−ＳＣＨを検出することで、スロット同期を取得し、更にセカンダリ同期チャネルＳ−ＳＣＨを検出することで、フレーム同期を取得すると共に、基地局装置１００ａを区別するためのセルＩＤのグループ、送信アンテナ数情報などを取得している。プライマリ同期チャネルＰ−ＳＣＨは、サブフレーム番号＃０及び＃５の先頭スロットの最終シンボルに配置され、セカンダリ同期チャネルＳ−ＳＣＨは、プライマリ同期チャネルＰ−ＳＣＨの直前のシンボルに配置される。
【００５９】
そして、本発明の第１の実施形態では、セカンダリ同期チャネルＳ−ＳＣＨとして、フレーム内で同一の系列を用いる第１のＳ−ＳＣＨ信号（Ｓ−ＳＣＨ＃１）と、フレーム内で異なる系列を用いる第２のＳ−ＳＣＨ信号（Ｓ−ＳＣＨ＃２）を用意し、更にＳ−ＳＣＨ信号によって通知する情報のうち、高優先度の情報を第１のＳ−ＳＣＨ信号（Ｓ−ＳＣＨ＃１）に多く配置して送信する。このようなＳ−ＳＣＨ信号について、さらに詳述する。
【００６０】
図４は、本発明の第１の実施形態におけるセカンダリ同期チャネルＳ−ＳＣＨの構造の一例を示した図である。図４に示すように、セカンダリ同期チャネルＳ−ＳＣＨは、Ｓ−ＳＣＨ＃１とＳ−ＳＣＨ＃２に分割される。また、Ｓ−ＳＣＨ＃２はＳ−ＳＣＨ＃２＿１とＳ−ＳＣＨ＃２＿２とで異なる信号系列を選択する。
【００６１】
図４において、Ｓ−ＳＣＨ＃１とＳ−ＳＣＨ＃２はｎ／２の系列長を持つ系列であり、ｎ個のサブキャリアに交互にマッピングされる。また、左端のサブキャリア番号をサブキャリア＃０、右端のサブキャリア番号をサブキャリア＃（ｎ−１）とする。また、ｎは７２以下の整数である。セカンダリ同期チャネルＳ−ＳＣＨは、サブフレーム番号＃０及び＃５に配置される。
なお、図４のマッピングにおいて、直流成分が配置されるサブキャリア（ＤＣサブキャリア）については省略している。ＤＣサブキャリアについては、ＤＣサブキャリアには信号を配置しない方法、ＤＣサブキャリアに位置する信号に０を乗算する方法などがあるが、基地局装置と移動局装置で既知であれば、上記したマッピングに限られるわけではない。
【００６２】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１信号をＳＳＣ１（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図４におけるＳ−ＳＣＨ信号のサブキャリアへのマッピングはそれぞれ以下で示される。
【００６３】
【数１】
2009038786.tif 000003
【００６４】
なお、ｎが奇数の場合、どちらか一方の系列長を
【００６５】
【数２】
2009038786.tif 000004
【００６６】
とすれば良い。例えば、ｎ＝７のとき、一方は３サブキャリア、もう一方は４サブキャリアとして配置すれば良い。
【００６７】
ここで、Ｓ−ＳＣＨ＃１の方に、高優先度の情報（例えばセルＩＤ、又はセルＩＤグループ）が可能な限り多く含まれるように情報の割り振りを行う。
【００６８】
例えば、セカンダリ同期チャネルＳ−ＳＣＨで通知されるセルＩＤ（グループ）候補が１７０であるとき、セルＩＤを示すために必要なビット数は、８ビット（２７＜１７０＜２８）となる。また、セカンダリ同期チャネルＳ−ＳＣＨを構成する系列長Ｓ−ＳＣＨ＃１およびＳ−ＳＣＨ＃２の系列長ｎ／２が３２であったとき、使用可能な系列の数はそれぞれ３２個となり、表現できるビット数は最大５ビット（２５＝３２）である。
この場合、Ｓ−ＳＣＨ＃１またはＳ−ＳＣＨ＃２だけでは完全にセルＩＤを表現できないため、セルＩＤを通知するためのビットを一方の系列に出来るだけ多く配置する。例えば、５ビットをＳ−ＳＣＨ＃１で送信し、残り３ビットと、その他の情報を示すビットをＳ−ＳＣＨ＃２で送信する。
【００６９】
移動局装置２００ａは、図４に示したようなセカンダリ同期チャネルＳ−ＳＣＨの構造を受信する場合、Ｓ−ＳＣＨ＃１が毎サブフレーム同じ信号で、かつ周期的に送信されることを利用して、Ｓ−ＳＣＨ＃１信号を１フレーム内で合成して受信することが可能である。また、基地局装置１００ａはＳ−ＳＣＨ＃１の送信電力を上げて送信することも可能である。
【００７０】
なお、本実施形態のセカンダリ同期チャネルＳ−ＳＣＨの構造は、図４に示すようなものに限ったものではなく、図５（ａ）及び図５（ｂ）のような形態も可能である。図５（ａ）の信号は、以下で示される。
【００７１】
【数３】
2009038786.tif 000005
【００７２】
同様に、図５（ｂ）の信号は、以下で示される。
【００７３】
【数４】
2009038786.tif 000006
【００７４】
また、異なるサブフレームのＳ−ＳＣＨ＃１またはＳ−ＳＣＨ＃２のいずれか、または両方に＋１、−１でサブフレーム毎に変調をかけても良い。
例えば、サブフレーム番号＃０のＳ−ＳＣＨ＃１（又はＳ−ＳＣＨ＃２）を、＋１で変調し、サブフレーム番号＃５のＳ−ＳＣＨ＃２（又はＳ−ＳＣＨ＃１）を、−１で変調しても良い。
また、Ｓ−ＳＣＨ＃１またはＳ−ＳＣＨ＃２をそれぞれＩ軸（実数成分）、Ｑ軸（虚数成分）に分けて配置しても良い。
【００７５】
また、図６に示すように、Ｓ−ＳＣＨ＃１を一つの信号系列ではなく、Ｓ−ＳＣＨ＃１＿１とＳ−ＳＣＨ＃１＿２の２つの信号系列を選択し、２サブキャリア毎に交互に配置しても良い。図６の場合、Ｓ−ＳＣＨ＃１＿１とＳ−ＳＣＨ＃１＿２の系列長ｎはｎ／４となる。図６のＳ−ＳＣＨ＃１＿１とＳ−ＳＣＨ＃１＿２はサブフレーム毎に入れ替わって配置されても良い。
【００７６】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ａは、高優先度の情報を１フレーム内で繰り返して送信するセカンダリ同期チャネルＳ−ＳＣＨの構造を用いることが可能となり、セルサーチ性能が向上する。また、移動局装置２００ａは高優先度の情報を１フレーム内で合成して受信することが可能となるため、セルサーチ性能が向上し、セルサーチ時間の低減により消費電力が下がる。
【００７７】
（第２の実施形態）
図７は、本発明の第２の実施形態の基地局装置１００ｂの構成を示す概略ブロック図である。この実施形態では、ＳＣＨ信号生成部１８ｂが図１に示したＳＣＨ信号生成部１８ａと異なっている。すなわち、第１の実施形態では、Ｓ−ＳＣＨ＃１とＳ−ＳＣＨ＃２の系列長が同じであったため、基地局装置１００ｂからの送信電力が同一であった場合、１シンボル区間で受信される信号電力は同じであった。この第２の実施形態のＳＣＨ信号生成部１８ｂでは、Ｓ−ＳＣＨ＃１とＳ−ＳＣＨ＃２を異なる系列長にすることで、同一シンボル内であっても、高優先度の情報が乗るＳ−ＳＣＨ信号の受信品質を改善するようにしている。
【００７８】
受信部１１ｂ、復調部１２ｂ、制御部１３ｂ、データ処理部１４ｂ、制御信号処理部１５ｂ、符号部１６ｂ、変調部１７ｂ、送信部１９ｂ、上位レイヤ２０ｂの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【００７９】
図８は、本発明の第２の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。また、Ｓ−ＳＣＨ＃２はＳ−ＳＣＨ＃２＿１とＳ−ＳＣＨ＃２＿２とで異なる信号系列を選択する。
【００８０】
図８において、Ｓ−ＳＣＨ＃１は３ｎ／４、Ｓ−ＳＣＨ＃２はｎ／４の系列長を持つ系列であり、ｎ個のサブキャリアに均一にマッピングされる。また、左端のサブキャリア番号をサブキャリア＃０、右端のサブキャリア番号をサブキャリア＃（ｎ−１）とする。また、ｎは７２以下の整数である。
なお、図８のマッピングにおいて、直流成分が配置されるサブキャリア（ＤＣサブキャリア）については省略している。ＤＣサブキャリアについては、ＤＣサブキャリアには信号を配置しない方法、ＤＣサブキャリアに位置する信号に０を乗算する方法などがあるが、基地局装置と移動局装置で既知であれば、上記したマッピングに限られるわけではない。
【００８１】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１信号をＳＳＣ１（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図８におけるＳ−ＳＣＨ信号のサブキャリアへのマッピングはそれぞれ以下で示される。
【００８２】
【数５】
2009038786.tif 000007
【００８３】
なお、上式はｎが２のべき乗のときのマッピングを示すものであり、それ以外の場合については上式と異なるマッピングとなるが、マッピング方法は本実施形態の概念より容易に推測可能であるため省略する。
【００８４】
図８のＳ−ＳＣＨ＃１は、ｎ個のサブキャリアを２等分するよりも多くのサブキャリアを使用するため、受信信号の総電力が上がり、受信品質が向上する。
例えば、１サブキャリア当たりの信号電力Ｐをｍとしたとき、従来の方法におけるＳ−ＳＣＨ＃１はｎ／２のサブキャリアを使用するのに対して、第２の実施形態では３ｎ／４のサブキャリアを使用する。よって、従来の方法を用いた場合の受信信号の総電力（ｍ×ｎ／２）に比べて、第２の実施形態を用いた場合の受信信号の総電力（３ｍ×ｎ／４）の方が大きくなり、受信品質が向上する。
【００８５】
移動局装置は、図８に示すようなセカンダリ同期チャネルＳ−ＳＣＨの構造を受信する場合、Ｓ−ＳＣＨ＃１が毎サブフレーム同じ信号で、かつ周期的に送信されることを利用して、Ｓ−ＳＣＨ＃１信号を１フレーム内で合成して受信することが可能である。また、基地局装置１００ｂはＳ−ＳＣＨ＃１の送信電力を上げて送信することも可能である。
【００８６】
また、Ｓ−ＳＣＨ＃１とＳ−ＳＣＨ＃２のサブキャリアのマッピング方法は図７に限定されるわけではなく、Ｓ−ＳＣＨ＃２をサブキャリア＃０から均等に配置しても良い。
また、異なるサブフレームのＳ−ＳＣＨ＃１またはＳ−ＳＣＨ＃２のいずれか、または両方に＋１、−１でサブフレーム毎に変調をかけても良い。また、Ｓ−ＳＣＨ＃１またはＳ−ＳＣＨ＃２をそれぞれＩ軸、Ｑ軸に分けて配置しても良い。
【００８７】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ｂは、高優先度の情報を通知するために、多くのサブキャリアを使用し、かつ１フレーム内で繰り返して送信するセカンダリ同期チャネルＳ−ＳＣＨの構造を用いることが可能となり、セルサーチ性能が向上する。
また、移動局装置は多くのサブキャリアを使用するＳ−ＳＣＨ信号で高優先度の情報が通知されるため、受信信号の総電力が上がり、セルサーチ性能が向上するとともにセルサーチ時間の低減により消費電力が下がる。
【００８８】
（第３の実施形態）
図９は、本発明の第３の実施形態の基地局装置１００ｃの構成を示す概略ブロック図である。この実施形態では、ＳＣＨ信号生成部１８ｃが図１に示したＳＣＨ信号生成部１８ａと異なっている。すなわち、この第３の実施形態では、ＳＣＨ信号生成部１８ｃは、ＳＣＨ信号をＩ軸とＱ軸に配置することで、周波数方向により系列長を長い系列を配置し、当該信号を用いて高優先度の情報を通知することを可能としている。
【００８９】
受信部１１ｃ、復調部１２ｃ、制御部１３ｃ、データ処理部１４ｃ、制御信号処理部１５ｃ、符号部１６ｃ、変調部１７ｃ、送信部１９ｃ、上位レイヤ２０ｃの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【００９０】
図１０は、本発明の第３の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。Ｓ−ＳＣＨ＃２はＳ−ＳＣＨ＃２＿１とＳ−ＳＣＨ＃２＿２とで異なる信号系列を選択する。
図１０において、Ｓ−ＳＣＨ＃１とＳ−ＳＣＨ＃２はそれぞれｎの系列長を持つ系列であり、ｎ個のサブキャリアにおけるＩ軸（実軸）とＱ軸（虚軸）に交互にマッピングされる。また、左端のサブキャリア番号をサブキャリア＃０、右端のサブキャリア番号をサブキャリア＃（ｎ−１）とする。また、ｎは７２以下の整数である。
なお、図１０のマッピングにおいて、直流成分が配置されるサブキャリア（ＤＣサブキャリア）については省略している。ＤＣサブキャリアについては、ＤＣサブキャリアには信号を配置しない方法、ＤＣサブキャリアに位置する信号に０を乗算する方法などがあるが、基地局装置と移動局装置で既知であれば、上記したマッピングに限られるわけではない。
【００９１】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１信号をＳＳＣ１（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図１０におけるＳ−ＳＣＨ信号のＩ軸とＱ軸のサブキャリアへのマッピングはそれぞれ以下で示される。なお、
【００９２】
【数６】
2009038786.tif 000008
【００９３】
は、サブフレーム番号＃ｔに配置されるセカンダリ同期チャネルＳ−ＳＣＨの実数成分を示し、
【００９４】
【数７】
2009038786.tif 000009
【００９５】
は虚数成分を示す。
【００９６】
【数８】
2009038786.tif 000010
【００９７】
なお、ｎが奇数の場合、どちらか一方の系列長を
【００９８】
【数９】
2009038786.tif 000011
【００９９】
とすれば良い。
【０１００】
図１０のＳ−ＳＣＨ＃１は、Ｉ軸とＱ軸と合わせてｎ個のサブキャリアを使用するため、受信信号の総電力が上がり、受信品質が向上する。
【０１０１】
移動局装置は、図１０のセカンダリ同期チャネルＳ−ＳＣＨの構造を受信する場合、Ｓ−ＳＣＨ＃１が毎サブフレーム同じ信号で、かつ周期的に送信されることを利用して、Ｓ−ＳＣＨ＃１信号を１フレーム内でＩ軸とＱ軸の信号を合成して受信することが可能である。また、基地局装置１００ｃはＳ−ＳＣＨ＃１の送信電力を上げて送信することも可能である。
【０１０２】
また、Ｓ−ＳＣＨ＃１とＳ−ＳＣＨ＃２のサブキャリアのマッピング方法は図１０のようなマッピング方法に限定されるわけではなく、Ｓ−ＳＣＨ＃２をＩ軸のサブキャリア＃０から配置しても良い。また、異なるサブフレームのＳ−ＳＣＨ＃１またはＳ−ＳＣＨ＃２のいずれか、または両方に＋１、−１でサブフレーム毎に変調をかけても良い。
【０１０３】
なお、図１１のように、Ｓ−ＳＣＨ＃１のみＩ軸とＱ軸を使用するようにマッピングしても良い。図１１におけるＳ−ＳＣＨ信号のサブキャリアへのマッピングはそれぞれ以下で示される。このとき、Ｓ−ＳＣＨ＃２の系列長はｎ／２となる。
【０１０４】
【数１０】
2009038786.tif 000012
【０１０５】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ｃは、高優先度の情報を通知するために、Ｉ軸とＱ軸とに交互にマッピングすることで、多くのサブキャリアを使用し、かつ１フレーム内で繰り返して送信するセカンダリ同期チャネルＳ−ＳＣＨの構造を用いることが可能となり、セルサーチ性能が向上する。
【０１０６】
また、移動局装置は高優先度の情報がＩ軸とＱ軸とに亘って多くのサブキャリアを使用するＳ−ＳＣＨ信号で通知されるため、受信信号の総電力が上がり、セルサーチ性能が向上するとともにセルサーチ時間の低減により消費電力が下がる。
【０１０７】
（第４の実施形態）
図１２は、本発明の第４の実施形態の基地局装置１００ｄの構成を示す概略ブロック図である。この実施形態では、ＳＣＨ信号生成部１８ｄが図１に示したＳＣＨ信号生成部１８ａと異なっている。すなわち、この第４の実施形態では、ＳＣＨ信号生成部１８ｄは、ＳＣＨ信号をＩ軸、Ｑ軸に信号を配置することで、１サブフレームでＳ−ＳＣＨ信号を繰り返し配置し、当該信号を用いて高優先度の情報を通知することを可能としている。
【０１０８】
受信部１１ｄ、復調部１２ｄ、制御部１３ｄ、データ処理部１４ｄ、制御信号処理部１５ｄ、符号部１６ｄ、変調部１７ｄ、送信部１９ｄ、上位レイヤ２０ｄの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【０１０９】
図１３は、本発明の第４の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。Ｓ−ＳＣＨ＃１であるＳ−ＳＣＨ＃１＿１とＳ−ＳＣＨ＃１＿２は同じ信号である。Ｓ−ＳＣＨ＃２はＳ−ＳＣＨ＃２＿１とＳ−ＳＣＨ＃２＿２とで異なる信号系列を選択する。
【０１１０】
図１３において、Ｓ−ＳＣＨ＃１はそれぞれｎ／２の系列長、Ｓ−ＳＣＨ＃２はそれぞれｎの系列長を持つ系列である。また、左端のサブキャリア番号をサブキャリア＃０、右端のサブキャリア番号をサブキャリア＃（ｎ−１）とする。また、ｎは７２以下の整数である。Ｓ−ＳＣＨ＃２は、サブキャリア＃０よりＳ−ＳＣＨ＃１＿１とＩ軸とＱ軸に交互にマッピングされ、サブキャリア＃ｎ／２からはＳ−ＳＣＨ＃１＿２とＩ軸とＱ軸に交互にマッピングされる。
なお、図１３のマッピングにおいて、直流成分が配置されるサブキャリア（ＤＣサブキャリア）については省略している。ＤＣサブキャリアについては、ＤＣサブキャリアには信号を配置しない方法、ＤＣサブキャリアに位置する信号に０を乗算する方法などがあるが、基地局装置と移動局装置で既知であれば、上記したマッピングに限られるわけではない。
【０１１１】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１＿１信号をＳＳＣ１、１（ｋ）、Ｓ−ＳＣＨ＃１＿２信号をＳＳＣ１、２（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図１３におけるＳ−ＳＣＨ信号のＩ軸とＱ軸のサブキャリアへのマッピングはそれぞれ以下で示される。
【０１１２】
【数１１】
2009038786.tif 000013
【０１１３】
なお、ｎが奇数の場合、どちらか一方の系列長を
【０１１４】
【数１２】
2009038786.tif 000014
【０１１５】
とすれば良い。
【０１１６】
図１３のＳ−ＳＣＨ＃１は、Ｉ軸とＱ軸に配置することによって１サブフレーム内の異なる周波数帯に配置することが可能となるため、周波数ダイバーシティ効果が得られ、受信品質が向上する。
【０１１７】
移動局装置は、図１３のセカンダリ同期チャネルＳ−ＳＣＨの構造を受信する場合、Ｓ−ＳＣＨ＃１＿１とＳ−ＳＣＨ＃１＿２が同じ信号であることを利用して、Ｓ−ＳＣＨ＃１信号を１サブフレーム内で合成して受信することが可能である。また、更に１フレーム内で合成して受信することも可能である。また、基地局装置１００ｄはＳ−ＳＣＨ＃１の送信電力を上げて送信することも可能である。
【０１１８】
また、Ｓ−ＳＣＨ＃１とＳ−ＳＣＨ＃２のサブキャリアのマッピング方法は、図１３に示されるマッピング方法に限定されるわけではなく、Ｓ−ＳＣＨ＃２をＩ軸のサブキャリア＃０から配置しても良い。また、異なるサブフレームのＳ−ＳＣＨ＃１またはＳ−ＳＣＨ＃２のいずれか、または両方に＋１、−１でサブフレーム毎に変調をかけても良い。
【０１１９】
なお、図１４のように、Ｓ−ＳＣＨ＃１のみＩ軸とＱ軸を使用するようにマッピングしても良い。図１４におけるＳ−ＳＣＨ信号のサブキャリアへのマッピングはそれぞれ以下で示される。このとき、Ｓ−ＳＣＨ＃２の系列長はｎ／２となる。
【０１２０】
【数１３】
2009038786.tif 000015
【０１２１】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ｄは、高優先度の情報を通知するために、Ｉ軸とＱ軸とに交互にマッピングし、更に１サブフレーム内で周波数方向に同じ信号を繰り返して送信するセカンダリ同期チャネルＳ−ＳＣＨの構造を用いることが可能となり、セルサーチ性能が向上する。
【０１２２】
また、移動局装置は高優先度の情報がＩ軸とＱ軸とに亘ってサブキャリアを使用し、周波数方向に繰り返すＳ−ＳＣＨ信号で通知されるため、１サブフレーム内で信号を合成することで受信信号の総電力が上がり、セルサーチ性能が向上することによるセルサーチ時間の低減により消費電力が下がる。
【０１２３】
（第５の実施形態）
図１５は、本発明の第５の実施形態の基地局装置１００ｅの構成を示す概略ブロック図である。この実施形態では、ＳＣＨ信号生成部１８ｅが図１に示したＳＣＨ信号生成部１８ａと異なっている。すなわち、この第５の実施形態では、ＳＣＨ信号生成部１８ｅは、Ｓ−ＳＣＨ信号を、Ｉ軸、Ｑ軸に信号を１サブキャリアおきに配置することで、１サブフレームでＳ−ＳＣＨ信号を繰り返し配置し、当該信号を用いて高優先度の情報を通知することを可能としている。
【０１２４】
受信部１１ｅ、復調部１２ｅ、制御部１３ｅ、データ処理部１４ｅ、制御信号処理部１５ｅ、符号部１６ｅ、変調部１７ｅ、送信部１９ｅ、上位レイヤ２０ｅの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【０１２５】
図１６は、本発明の第５の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。Ｓ−ＳＣＨ＃１であるＳ−ＳＣＨ＃１＿１とＳ−ＳＣＨ＃１＿２は同じ信号である。Ｓ−ＳＣＨ＃２はＳ−ＳＣＨ＃２＿１とＳ−ＳＣＨ＃２＿２とで異なる信号系列を選択する。
【０１２６】
図１６において、Ｓ−ＳＣＨ＃１はそれぞれｎ／２の系列長、Ｓ−ＳＣＨ＃２はそれぞれｎの系列長を持つ系列である。また、左端のサブキャリア番号をサブキャリア＃０、右端のサブキャリア番号をサブキャリア＃（ｎ−１）とする。また、ｎは７２以下の整数である。Ｓ−ＳＣＨ＃２は、Ｉ軸とＱ軸に交互にマッピングされ、Ｓ−ＳＣＨ＃１＿１とＳ−ＳＣＨ＃１＿２は、それ以外のサブキャリアにおいて、Ｉ軸にはＳ―ＳＣＨ＃１＿１を、Ｑ軸にはＳ−ＳＣＨ＃１＿２がマッピングされる。マッピングされる軸は逆でも良い。
なお、図１６のマッピングにおいて、直流成分が配置されるサブキャリア（ＤＣサブキャリア）については省略して記述してある。ＤＣサブキャリアについては、ＤＣサブキャリアには信号を配置しない方法、ＤＣサブキャリアに位置する信号に０を乗算する方法などが考えられるが、基地局装置と移動局装置で既知であれば、上記したマッピングに限られるわけではない。
【０１２７】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１＿１信号をＳＳＣ１、１（ｋ）、Ｓ−ＳＣＨ＃１＿２信号をＳＳＣ１、２（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図１６におけるＳ−ＳＣＨ信号のＩ軸とＱ軸のサブキャリアへのマッピングはそれぞれ以下で示される。
【０１２８】
【数１４】
2009038786.tif 000016
【０１２９】
なお、ｎが奇数の場合、どちらか一方の系列長を
【０１３０】
【数１５】
2009038786.tif 000017
【０１３１】
とすれば良い。
【０１３２】
図１６のＳ−ＳＣＨ＃１は、同じ信号を１サブフレーム内のＩ軸とＱ軸にそれぞれ配置することによって、周波数ダイバーシティ効果が得られ、受信品質が向上する。
移動局装置は、図１６のセカンダリ同期チャネルＳ−ＳＣＨの構造を受信する場合、Ｓ−ＳＣＨ＃１＿１とＳ−ＳＣＨ＃１＿２が同じ信号であることを利用して、Ｓ−ＳＣＨ＃１信号を１サブフレーム内で合成して受信することが可能である。また、更に１フレーム内で合成して受信することも可能である。また、基地局装置１００ｅはＳ−ＳＣＨ＃１の送信電力を上げて送信することも可能である。
【０１３３】
また、Ｓ−ＳＣＨ＃１とＳ−ＳＣＨ＃２のサブキャリアのマッピング方法は図１６に示すようなマッピング方法に限定されるわけではなく、Ｓ−ＳＣＨ＃２をＩ軸のサブキャリア＃０から配置しても良い。また、異なるサブフレームのＳ−ＳＣＨ＃１またはＳ−ＳＣＨ＃２のいずれか、または両方に＋１、−１でサブフレーム毎に変調をかけても良い。
なお、本実施形態は図１７のように、Ｓ−ＳＣＨ＃１のみＩ軸とＱ軸を使用するようにマッピングしても良い。図１７におけるＳ−ＳＣＨ信号のサブキャリアへのマッピングはそれぞれ以下で示される。このとき、Ｓ−ＳＣＨ＃２の系列長はｎ／２となる。
【０１３４】
【数１６】
2009038786.tif 000018
【０１３５】
本実施形態により、セカンダリ同期チャネルＳ−ＳＣＨによって通知される情報を、高優先度の情報（例えばセルＩＤやセルＩＤグループ）とそれ以外の情報とに分け、基地局装置１００ｅは、高優先度の情報を通知するために、１サブフレーム内の別のサブキャリアのＩ軸とＱ軸を使用して繰り返し送信されるセカンダリ同期チャネルＳ−ＳＣＨの構造を用いることが可能となり、セルサーチ性能が向上する。
【０１３６】
また、移動局装置は高優先度の情報が別のサブキャリアのＩ軸とＱ軸とを使用するＳ−ＳＣＨ信号で通知されるため、１サブフレーム内で信号を合成することで受信信号の総電力が上がり、セルサーチ性能が向上することによるセルサーチ時間の低減により消費電力が下がる。
【０１３７】
（第６の実施形態）
図１８は、本発明の第６の実施形態の基地局装置１００ｆの構成を示す概略ブロック図である。この実施形態では、ＳＣＨ信号生成部１８ｆが図１に示したＳＣＨ信号生成部１８ａと異なっている。すなわち、この第６の実施形態では、ＳＣＨ信号生成部１８ｆは、変調されたＳ−ＳＣＨ信号と変調前のＳ−ＳＣＨ信号を１サブフレームに配置し、変調がかかる信号を用いて高優先度の情報を通知することを可能としている。
【０１３８】
受信部１１ｆ、復調部１２ｆ、制御部１３ｆ、データ処理部１４ｆ、制御信号処理部１５ｆ、符号部１６ｆ、変調部１７ｆ、送信部１９ｆ、上位レイヤ２０ｆの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【０１３９】
図１９は、本発明の第６の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。更に、Ｓ−ＳＣＨ＃１信号であるＳ−ＳＣＨ＃１＿１に対し、事前に定義された変調符号をかけたＳ−ＳＣＨ＃１＿２という信号を生成する。変調符号として、ＢＰＳＫ（Ｂｉｎａｒｙ  Ｐｈａｓｅ  Ｓｈｉｆｔ  Ｋｅｙｎｇ：二位相偏移変調）、ＰＮ（Ｐｓｅｕｄ  Ｎｏｉｓｅ）系列、Ｍ（Ｍａｘｉｍａｌ−ｌｅｎｇｔｈ）系列などを適用することが可能である。Ｓ−ＳＣＨ＃２はＳ−ＳＣＨ＃２＿１とＳ−ＳＣＨ＃２＿２とで異なる信号系列を選択する。
【０１４０】
図１９において、Ｓ−ＳＣＨ＃１はそれぞれｎ／４の系列長、Ｓ−ＳＣＨ＃２はそれぞれｎ／２の系列長を持つ系列である。また、左端のサブキャリア番号をサブキャリア＃０、右端のサブキャリア番号をサブキャリア＃（ｎ−１）とする。また、ｎは７２以下の整数である。Ｓ−ＳＣＨ＃１＿１は、サブキャリア＃０よりＳ−ＳＣＨ＃２＿１とそれぞれ交互にマッピングされる。また、Ｓ−ＳＣＨ＃１＿２は、サブキャリア＃０よりＳ−ＳＣＨ＃２＿２とそれぞれ交互にマッピングされる。
なお、図１９のマッピングにおいて、直流成分が配置されるサブキャリア（ＤＣサブキャリア）については省略している。ＤＣサブキャリアについては、ＤＣサブキャリアには信号を配置しない方法、ＤＣサブキャリアに位置する信号に０を乗算する方法などがあるが、基地局装置と移動局装置で既知であれば、上記したマッピングに限られるわけではない。
【０１４１】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１＿１信号をＳＳＣ１、１（ｋ）、Ｓ−ＳＣＨ＃１＿２信号をＳＳＣ１、２（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図１９におけるＳ−ＳＣＨ信号のサブキャリアへのマッピングはそれぞれ以下で示される。
【０１４２】
【数１７】
2009038786.tif 000019
【０１４３】
なお、上式はｎが２のべき乗のときのマッピングを示すものであり、それ以外の場合については上式と異なるマッピングとなるが、マッピング方法は本実施形態と同様に実現することができるため、その説明を省略する。
図１９のＳ−ＳＣＨ＃１は、変調された信号を別のサブキャリアに配置することが可能となるため、周波数ダイバーシティ効果が得られ、受信品質が向上する。
【０１４４】
移動局装置は、図１９のセカンダリ同期チャネルＳ−ＳＣＨの構造を受信する場合、Ｓ−ＳＣＨ＃１＿２の変調信号が分かっているため、Ｓ−ＳＣＨ＃１＿２を復調することで、Ｓ−ＳＣＨ＃１＿１と同じ信号が得られることを利用して、Ｓ−ＳＣＨ＃１信号を１サブフレーム内で合成して受信することが可能である。また、更に１フレーム内で合成して受信することも可能である。また、基地局装置１００ｆはＳ−ＳＣＨ＃１の送信電力を上げて送信することも可能である。
【０１４５】
また、Ｓ−ＳＣＨ＃１とＳ−ＳＣＨ＃２のサブキャリアのマッピング方法は図１９に示すようなマッピング方法に限定されるわけではなく、Ｓ−ＳＣＨ＃２＿１をサブキャリア＃０から配置しても良い。また、異なるサブフレームのＳ−ＳＣＨ＃１またはＳ−ＳＣＨ＃２のいずれか、または両方に＋１、−１でサブフレーム毎に変調をかけても良い。
【０１４６】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ｆは、高優先度の情報を通知するために、１サブフレーム内で基の信号と変調された信号とが交互に配置されるセカンダリ同期チャネルＳ−ＳＣＨの構造を用いることが可能となり、セルサーチ性能が向上する。
【０１４７】
また、移動局装置は高優先度の情報が基の信号と変調された信号とが交互に配置されるＳ−ＳＣＨ信号で通知されるため、１サブフレーム内で基の信号と復調後の信号を合成することで受信信号の総電力が上がり、セルサーチ性能が向上するとともにセルサーチ時間の低減により消費電力が下がる。
【０１４８】
（第７の実施形態）
図２０は、本発明の第７の実施形態の基地局装置１００ｇの構成を示す概略ブロック図である。この実施形態では、ＳＣＨ信号生成部１８ｇが図１に示したＳＣＨ信号生成部１８ａと異なっている。すなわち、この第７の実施形態では、ＳＣＨ信号生成部１８ｇは、ＳＣＨ信号を、両端の未使用サブキャリアに割り当てることで、高優先度の情報を通知することを可能としている。
【０１４９】
受信部１１ｇ、復調部１２ｇ、制御部１３ｇ、データ処理部１４ｇ、制御信号処理部１５ｇ、符号部１６ｇ、変調部１７ｇ、送信部１９ｇ、上位レイヤ２０ｇの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【０１５０】
図２１は、本発明の第７の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。図２１に示すように、同期チャネルＳＣＨが使用するサブキャリア数ｎが２のべき乗でない場合で、セカンダリ同期チャネルＳ−ＳＣＨが使用する１シンボル当たりのサブキャリア数（ｎ−ｍ）が２のべき乗の場合、未使用のサブキャリア数ｍが両端にｍ／２ずつ存在する。本実施形態は、この未使用のサブキャリアをＳ−ＳＣＨ＃１のために使用する。
【０１５１】
例えば、同期チャネルＳＣＨが使用可能な１シンボル当たりのサブキャリア数が７２のとき、Ｓ−ＳＣＨ＃１に４０（＝３２＋８）サブキャリアを、Ｓ−ＳＣＨ＃２に３２サブキャリアを割り当てる。また、Ｓ−ＳＣＨ＃２はＳ−ＳＣＨ＃２＿１とＳ−ＳＣＨ＃２＿２とで異なる信号系列を選択する。
【０１５２】
図２１において、Ｓ−ＳＣＨ＃１は（（ｎ＋ｍ）／２）の系列長、Ｓ−ＳＣＨ＃２は（ｎ―ｍ）／２の系列長を持つ系列である。また、左端のサブキャリア番号をサブキャリア＃０、右端のサブキャリア番号をサブキャリア＃（ｎ−１）とする。両端のｍ／２個のサブキャリアはＳ−ＳＣＨ＃１のみをマッピングし、それ以外はＳ−ＳＣＨ＃１とＳ−ＳＣＨ＃２（Ｓ−ＳＣＨ＃２＿１、Ｓ−ＳＣＨ＃２＿２）とそれぞれ交互にマッピングされる。なお、ｍが奇数の場合、ｍ−１を代わりに用いるか、両端のどちらかのサブキャリアの１つ多く割り振ればよい。
なお、図２１のマッピングにおいて、直流成分が配置されるサブキャリア（ＤＣサブキャリア）については省略している。ＤＣサブキャリアについては、ＤＣサブキャリアには信号を配置しない方法、ＤＣサブキャリアに位置する信号に０を乗算する方法などがあるが、基地局装置と移動局装置で既知であれば、上記したマッピングに限られるわけではない。
【０１５３】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１信号をＳＳＣ１（ｋ）、Ｓ−ＳＣＨ＃２＿１信号をＳＳＣ２、１（ｋ）、Ｓ−ＳＣＨ＃２＿２信号をＳＳＣ２、２（ｋ）とすると、図２１におけるＳ−ＳＣＨ信号のサブキャリアへのマッピングはそれぞれ以下で示される。
【０１５４】
【数１８】
2009038786.tif 000020
【０１５５】
なお、上式はｍ／２が偶数のときのマッピングを示すものであり、ｍ／２が奇数の場合については上式と異なるマッピングとなるが、マッピング方法は本実施形態の概念より容易に推測可能であるため省略する。
【０１５６】
図２１のＳ−ＳＣＨ＃１は、より多くのサブキャリアを使用して送信されるため、受信信号の総電力が上がり、受信品質が向上する。また、移動局装置は、図２１のセカンダリ同期チャネルＳ−ＳＣＨの構造を受信する場合、Ｓ−ＳＣＨ＃１が毎サブフレーム同じ信号で、かつ周期的に送信されることを利用して、Ｓ−ＳＣＨ＃１信号を１フレーム内で合成して受信することが可能である。また、基地局装置１００ｇはＳ−ＳＣＨ＃１の送信電力を上げて送信することも可能である。
【０１５７】
また、Ｓ−ＳＣＨ＃１とＳ−ＳＣＨ＃２のサブキャリアのマッピング方法は図２１に示すようなマッピング方法に限定されるわけではなく、Ｓ−ＳＣＨ＃２＿１をサブキャリア＃０から配置しても良い。
【０１５８】
また、異なるサブフレームのＳ−ＳＣＨ＃１またはＳ−ＳＣＨ＃２のいずれか、または両方に＋１、−１でサブフレーム毎に変調をかけても良い。また、更に両端ｍ個のサブキャリアには、Ｓ−ＳＣＨ＃１信号の誤り訂正符号を送信してもよい。また、Ｓ−ＳＣＨ＃１信号の一部を繰り返し送信しても良い。
【０１５９】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ｇは、高優先度の情報を通知するために、未使用サブキャリアの割当てによって多くのサブキャリアを使用し、かつ１フレーム内で繰り返して送信するセカンダリ同期チャネルＳ−ＳＣＨの構造を用いることが可能となり、セルサーチ性能が向上する。
【０１６０】
また、移動局装置は高優先度の情報が未使用サブキャリアの割当てによって多くのサブキャリアを使用するＳ−ＳＣＨ信号で通知されるため、受信信号の総電力が上がり、セルサーチ性能が向上するとともにセルサーチ時間の低減により消費電力が下がる。
【０１６１】
（第８の実施形態）
図２２は、本発明の第８の実施形態の基地局装置１００ｈの構成を示す概略ブロック図である。この実施形態では、ＳＣＨ信号生成部１８ｈが図１に示したＳＣＨ信号生成部１８ａと異なっている。すなわち、この第８の実施形態では、ＳＣＨ信号生成部１８ｈは、ＳＣＨ信号を、配置される信号同士の位相差でＳ−ＳＣＨ信号を表すような系列を配置することで、他セル間干渉のよる影響の少ないセルサーチ方法を実現し、当該位相差を用いて高優先度の情報を通知することを可能としている。
【０１６２】
受信部１１ｈ、復調部１２ｈ、制御部１３ｈ、データ処理部１４ｈ、制御信号処理部１５ｈ、符号部１６ｈ、変調部１７ｈ、送信部１９ｈ、上位レイヤ２０ｈの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【０１６３】
図２３は、本発明の第８の実施形態におけるセカンダリ同期チャネルＳ−ＳＣＨの構造の一例を示した図である。セカンダリ同期チャネルＳ−ＳＣＨは、Ｓ−ＳＣＨ＃１とＳ−ＳＣＨ＃２に分割される。また、Ｓ−ＳＣＨ＃２＿１とＳ−ＳＣＨ＃２＿２は、Ｓ−ＳＣＨ＃１との間の位相差が系列を表すようにして生成されたそれぞれ異なる信号である。
【０１６４】
図２３において、Ｓ−ＳＣＨ＃１とＳ−ＳＣＨ＃２はそれぞれｎ／２の系列長を持つ系列である。また、左端のサブキャリア番号をサブキャリア＃０、右端のサブキャリア番号をサブキャリア＃（ｎ−１）とする。Ｓ−ＳＣＨ＃１は、サブキャリア＃０よりＳ−ＳＣＨ＃２（Ｓ−ＳＣＨ＃２＿１、Ｓ−ＳＣＨ＃２＿２）と交互にマッピングされる。
なお、図２３のマッピングにおいて、直流成分が配置されるサブキャリア（ＤＣサブキャリア）については省略して記述してある。ＤＣサブキャリアについては、ＤＣサブキャリアには信号を配置しない方法、ＤＣサブキャリアに位置する信号に０を乗算する方法などが考えられるが、基地局装置と移動局装置で既知であれば、上記したマッピングに限られるわけではない。
【０１６５】
ここで、変数ｋをＳ−ＳＣＨ信号がマッピングされるサブキャリア番号（ｋ＜ｎ、かつ０以上の整数）、サブフレーム番号＃０のセカンダリ同期チャネルＳ−ＳＣＨをＳ０、ｋ、サブフレーム番号＃５のセカンダリ同期チャネルＳ−ＳＣＨをＳ５、ｋ、Ｓ−ＳＣＨ＃１信号をＳＳＣ１（ｋ）、Ｓ−ＳＣＨ＃１信号とＳ−ＳＣＨ＃２＿１信号、およびＳ−ＳＣＨ＃２＿２信号との位相差をそれぞれｄ１（ｋ）、ｄ２（ｋ）とすると、図２３におけるＳ−ＳＣＨ信号のサブキャリアへのマッピングはそれぞれ以下で示される。
【０１６６】
【数１９】
2009038786.tif 000021
【０１６７】
なお、ｎが奇数の場合、どちらか一方の系列長を
【０１６８】
【数２０】
2009038786.tif 000022
【０１６９】
とすれば良い。例えば、ｎ＝７のとき、一方は３サブキャリア、もう一方は４サブキャリアとして配置すれば良い。
【０１７０】
図２３のＳ−ＳＣＨ＃１は、同一基地局装置１００ｈで同じ信号を送信することで、セクタ間の移動局装置は合成された信号を受信することが可能となるため受信品質が向上する。
【０１７１】
移動局装置は、図２３のセカンダリ同期チャネルＳ−ＳＣＨの構造を受信する場合、受信品質の良好なＳ−ＳＣＨ＃１を基準としてＳ−ＳＣＨ＃２＿１またはＳ−ＳＣＨ＃２＿２の位相差を取ることで系列を判定することが可能となる。また、基地局装置１００ｈはＳ−ＳＣＨ＃１の送信電力を上げて送信することも可能である。
【０１７２】
また、Ｓ−ＳＣＨ＃１とＳ−ＳＣＨ＃２のサブキャリアのマッピング方法は図２３に限定されるわけではなく、Ｓ−ＳＣＨ＃２＿１をサブキャリア＃０から配置しても良い。また、異なるサブフレームのＳ−ＳＣＨ＃１またはＳ−ＳＣＨ＃２のいずれか、または両方に＋１、−１でサブフレーム毎に変調をかけても良い。
【０１７３】
この実施形態により、セカンダリ同期チャネルＳ−ＳＣＨによって通知される情報を、高優先度の情報（例えばセルＩＤやセルＩＤグループ）とそれ以外の情報とに分け、基地局装置１００ｈは、高優先度の情報を通知するために、基準となる信号と、前記基準となる信号に隣接するサブキャリアの位相差の系列に高優先度の情報を載せるようマッピングされたセカンダリ同期チャネルＳ−ＳＣＨの構造を用いることが可能となり、セルサーチ性能が向上する。
【０１７４】
また、移動局装置は基準となる信号を同一基地局装置のセクタ間で合成することによって、サブキャリア間の位相差の推定精度が上がり、セルサーチ性能が向上するとともにセルサーチ時間の低減により消費電力が下がる。
【０１７５】
（第９の実施形態）
これまで、高優先度の基地局装置情報（例えばセルＩＤ、セルＩＤグループ）を優先的にＳ−ＳＣＨ＃１に配置し、それ以外の基地局装置情報をＳ−ＳＣＨ＃２に配置する方法について示してきたが、Ｓ−ＳＣＨ＃２の信号に対する干渉量を低減することができれば、Ｓ−ＳＣＨ＃２の受信品質を改善し、更にセルサーチ性能を向上することが可能である。
本発明の第９の実施形態は、Ｓ−ＳＣＨ＃２で送信される基地局装置の情報の関連付けを所定の条件に基づいて設定することで、干渉を低減する方法について示す。
【０１７６】
図２４は、本発明の第９の実施形態の基地局装置１００ｉの構成を示す概略ブロック図である。この実施形態では、ＳＣＨ信号生成部１８ｉが図１に示したＳＣＨ信号生成部１８ａと異なっている。すなわち、この第９の実施形態では、ＳＣＨ信号生成部１８ｉは、Ｓ−ＳＣＨの信号系列を隣接セル間の基地局装置の情報が重複しないように、基地局装置の情報に基づいて複数のグループに分けることで、他セル間干渉による影響の少ないセルサーチ方法を実現している。
【０１７７】
受信部１１ｉ、復調部１２ｉ、制御部１３ｉ、データ処理部１４ｉ、制御信号処理部１５ｉ、符号部１６ｉ、変調部１７ｉ、送信部１９ｉ、上位レイヤ２０ｉの構成については、図１における受信部１１ａ、復調部１２ａ、制御部１３ａ、データ処理部１４ａ、制御信号処理部１５ａ、符号部１６ａ、変調部１７ａ、送信部１９ａ、上位レイヤ２０ａと同様であり、その説明を省略する。
【０１７８】
本発明の基地局装置１００ｉのＳＣＨ信号生成部１８ｉは、低優先度の情報（送信アンテナ数情報、フレームタイミングやリファレンスシグナル情報など）が含まれる一方のＳ−ＳＣＨの信号系列について、同様の基地局装置の情報を示すＳ−ＳＣＨの信号系列毎にグループ分けし、隣接セル間の当該Ｓ−ＳＣＨの干渉を低減するために、隣接セル間ではセル情報に従いつつ、可能な限り優先的に異なるグループから信号系列を選択して送信する。なお、信号系列の数を均等に分割できない場合は、可能な限り均一に近づけた状態でグループ分けを行う。
【０１７９】
ここで、低優先度の情報（送信アンテナ数情報、フレームタイミングやリファレンスシグナル情報など）が複数存在し、これらの情報の組み合わせ数がｙパターン（ｙは０でない自然数）である場合、基地局装置の情報と信号系列との関連付けを容易にするため、低優先度の情報（送信アンテナ数情報、フレームタイミングやリファレンスシグナル情報など）を示す一方のＳ−ＳＣＨの信号系列のグループ数はｙに等しいことが望ましく、用いられるＳ−ＳＣＨの信号系列はｙの倍数であることが望ましい。
例えば、ｙ＝１２の場合、一方のＳ−ＳＣＨ（例えばＳ−ＳＣＨ＃２）は１２のグループに分類され、そのＳ−ＳＣＨの信号系列の数は１２、２４、３６・・・の種類であることが望ましい。基地局装置の情報と信号系列との関連付けについて図２５の例を用いて説明する。
【０１８０】
図２５（ａ）〜図２５（ｄ）は、Ｓ−ＳＣＨ＃２の信号系列によって２通りの送信アンテナ数情報と６通りのリファレンスシグナル情報を示す場合の例である。
図２５（ａ）では、信号系列番号０として送信アンテナ数情報１とリファレンスシグナル情報０とを送信し、信号系列番号５として送信アンテナ数情報１とリファレンスシグナル情報５とを送信し、信号系列番号６として送信アンテナ数情報２とリファレンスシグナル情報０とを送信し、信号系列番号１１として送信アンテナ数情報２とリファレンスシグナル情報５とを送信する。
【０１８１】
図２５（ｂ）では、信号系列番号０として送信アンテナ数情報１とリファレンスシグナル情報０とを送信し、信号系列番号５として送信アンテナ数情報１とリファレンスシグナル情報５とを送信し、信号系列番号６として送信アンテナ数情報１とリファレンスシグナル情報０とを送信し、信号系列番号１１として送信アンテナ数情報１とリファレンスシグナル情報５とを送信する。更に、信号系列番号１２として送信アンテナ数情報２とリファレンスシグナル情報０とを送信し、信号系列番号２３として送信アンテナ数情報２とリファレンスシグナル情報５とを送信する。
【０１８２】
図２５（ｃ）では、信号系列番号０として送信アンテナ数情報１とリファレンスシグナル情報０とを送信し、信号系列番号５として送信アンテナ数情報１とリファレンスシグナル情報５とを送信し、信号系列番号６として送信アンテナ数情報２とリファレンスシグナル情報０とを送信し、信号系列番号１１として送信アンテナ数情報２とリファレンスシグナル情報５とを送信する。更に、信号系列番号１２として送信アンテナ数情報１とリファレンスシグナル情報０とを送信し、信号系列番号２３として送信アンテナ数情報２とリファレンスシグナル情報５とを送信する。
図２５（ｄ）では、信号系列番号０として送信アンテナ数情報１とリファレンスシグナル情報０とを送信し、信号系列番号１として送信アンテナ数情報１とリファレンスシグナル情報０とを送信し、信号系列番号１０として送信アンテナ数情報１とリファレンスシグナル情報５とを送信し、信号系列番号１１として送信アンテナ数情報１とリファレンスシグナル情報５とを送信する。更に、信号系列番号１２として送信アンテナ数情報２とリファレンスシグナル情報０とを送信し、信号系列番号２３として送信アンテナ数情報２とリファレンスシグナル情報５とを送信する。
【０１８３】
Ｓ−ＳＣＨ＃２の信号系列によって示される情報は図２５の例に限ったものではなく、セルＩＤまたはセルＩＤグループを示す情報の一部、それ以外の基地局装置の情報が含まれていても良い。例えば、Ｓ−ＳＣＨ＃２の信号系列によってフレームタイミングとリファレンスシグナル情報の組み合わせが示されても良い。図２５（ａ）〜図２５（ｄ）の例では、送信アンテナ数情報とリファレンスシグナル情報の組み合わせ数ｙ＝１２であるため、各信号系列は１２グループに分類される。
【０１８４】
図２５（ａ）は、各グループに含まれる信号系列が１つの場合の例であり、図２５（ｂ）〜図２５（ｄ）は各グループに含まれる信号系列が２つの場合の例である。図に例示した基地局装置の情報と信号系列との関連付けを行なうことで、隣接セル間で異なる情報が送信される場合、特別なセルプランニングを行わなくても、異なる信号系列が選択されることになり、他セル間干渉が低減する。また、隣接セル間で同じ情報が送信される可能性がある場合は、各グループに複数の信号系列が含まれている場合は、隣接セルで異なる信号系列を用いれば良い（例えば、図２５（ｂ）の信号系列番号０と６）。なお、Ｓ−ＳＣＨ＃２の信号系列とｙパターンの基地局装置の情報との関連付けについては、図２５に示した以外の任意の方法でも良いが、ｙパターンの情報が均一に含まれていることが望ましい。図示した以外の信号系列番号と基地局装置の情報との関連付けとして、例えば、送信アンテナ数情報やフレームタイミングのように２通りのパターンで示される情報については、信号系列番号が偶数か奇数かで示す情報を変更する方法も考えられる。
さらに、より他セル間干渉を低減するために、Ｓ−ＳＣＨ＃１の信号系列に基づいて、Ｓ−ＳＣＨ＃２の信号系列の示す基地局装置の情報の関連付けを変更する方法を用いることも可能である。これを図２６に示す。
【０１８５】
図２６は、図２５（ｂ）の送信アンテナ数情報と信号系列番号の関連付けを変更したものである。例えば、基地局装置は、Ｓ−ＳＣＨ＃２の信号系列として、Ｓ−ＳＣＨ＃１が偶数のときに図２５（ｂ）の関連付けを行い、奇数のときに図２６の関連付けを行い送信する（逆でも良い）。なお、Ｓ−ＳＣＨ＃２における基地局装置の情報と信号系列番号との関連付けを変更するための条件としては、他にＳ−ＳＣＨ＃１の信号系列番号に所定の閾値を設定し、閾値未満と閾値以上とに分類しても良い。また、複数の条件を設定し、それぞれに対する複数の関連付けが存在しても良い。すなわち、Ｓ−ＳＣＨ＃１がｔ通り（ｔは０でない自然数）に分類される場合、対応する関連付けはｔ通りある。これにより、隣接セル間で同じ情報が送信される場合であっても、異なる信号系列が選択可能となるため、よりセル間干渉を低減することが可能となる。
【０１８６】
このように、低優先度の情報（送信アンテナ数情報、フレームタイミングやリファレンスシグナル情報など）が取りうる組み合わせが重複しないように信号系列をグループ分けすることで、隣接セル間で基地局装置の情報（フレームタイミング、送信アンテナ数、リファレンスシグナル情報など）が異なる場合に、特別なプランニングを行なわずとも異なるＳ−ＳＣＨ＃２の信号系列が自動的に選択されることになり、他セル間干渉を低減することが可能となる。また、隣接セル間で基地局装置の情報（フレームタイミング、送信アンテナ数、リファレンスシグナル情報など）が同じである場合に、Ｓ−ＳＣＨ＃１の信号系列に基づいてＳ−ＳＣＨ＃２における基地局装置の情報と信号系列番号との関連付けを変更することにより、他セル間干渉を低減することが可能となる。
なお、本発明の第９の実施形態におけるセカンダリ同期チャネルＳ−ＳＣＨの構造は、実施の形態１〜８のいずれにも適用可能である。
【０１８７】
この実施形態により、基地局装置１００ｉは、Ｓ−ＳＣＨ＃２の信号系列を、セル情報に従いつつ、可能な限り隣接セル間で異なる信号系列が選択されることになるため、他セル間干渉が低減しセルサーチ性能が向上する。
【０１８８】
なお、以上説明した実施形態において、移動局装置および基地局装置の各部の機能を実現するためのプログラムをコンピュータ読み取り可能な記録媒体に記録して、この記録媒体に記録されたプログラムをコンピュータシステムに読み込ませ、実行することにより移動局装置や基地局装置の制御を行っても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１８９】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１９０】
【図１】本発明の第１の実施形態における基地局装置１００ａの構成を示す概略ブロック図である。
【図２】本発明の第１の実施形態における移動局装置２００ａの構成を示す概略ブロック図である。
【図３】本発明の第１の実施形態による移動局装置２００ａのセルサーチ部５７ａの構成を示す概略ブロック図である。
【図４】本発明の第１の実施形態におけるセカンダリ同期チャネルＳ−ＳＣＨの構造の一例を示す図である。
【図５】本発明の第１の実施形態におけるセカンダリ同期チャネルＳ−ＳＣＨの構造の別の一例を示す図である。
【図６】本発明の第１の実施形態におけるセカンダリ同期チャネルＳ−ＳＣＨの構造の別の一例を示す図である。
【図７】本発明の第２の実施形態における基地局装置１００ｂの構成を示す概略ブロック図である。
【図８】本発明の第２の実施形態におけるセカンダリ同期チャネルＳ−ＳＣＨの構造の一例を示す図である。
【図９】本発明の第３の実施形態における基地局装置１００ｃの構成を示す概略ブロック図である。
【図１０】本発明の第３の実施形態におけるセカンダリ同期チャネルＳ−ＳＣＨの構造の一例を示す図である。
【図１１】本発明の第３の実施形態におけるセカンダリ同期チャネルＳ−ＳＣＨの構造の別の一例を示す図である。
【図１２】本発明の第４の実施形態における基地局装置１００ｄの構成を示す概略ブロック図である。
【図１３】本発明の第４の実施形態におけるセカンダリ同期チャネルＳ−ＳＣＨの構造の一例を示す図である。
【図１４】本発明の第４の実施形態におけるセカンダリ同期チャネルＳ−ＳＣＨの構造の別の一例を示す図である。
【図１５】本発明の第５の実施形態における基地局装置１００ｅの構成を示す概略ブロック図である。
【図１６】本発明の第５の実施形態におけるセカンダリ同期チャネルＳ−ＳＣＨの構造の一例を示す図である。
【図１７】本発明の第５の実施形態におけるセカンダリ同期チャネルＳ−ＳＣＨの構造の別の一例を示す図である。
【図１８】本発明の第６の実施形態における基地局装置１００ｆの構成を示す概略ブロック図である。
【図１９】本発明の第６の実施形態におけるセカンダリ同期チャネルＳ−ＳＣＨの構造の一例を示す図である。
【図２０】本発明の第７の実施形態における基地局装置１００ｇの構成を示す概略ブロック図である。
【図２１】本発明の第７の実施の形態におけるセカンダリ同期チャネルＳ−ＳＣＨの構造の一例を示す図である。
【図２２】本発明の第８の実施形態における基地局装置１００ｈの構成を示す概略ブロック図である。
【図２３】本発明の第８の実施形態におけるセカンダリ同期チャネルＳ−ＳＣＨの構造の一例を示す図である。
【図２４】本発明の第９の実施形態における基地局装置１００ｉの構成を示す概略ブロック図である。
【図２５】基地局装置情報とセカンダリ同期チャネルＳ−ＳＣＨの関連付けの一例を示す図である。
【図２６】基地局装置情報とセカンダリ同期チャネルＳ−ＳＣＨの関連付けの別の一例を示す図である。
【図２７】従来の３段階のセルサーチ手順について示したフロー図である。
【図２８】ＥＵＴＲＡにおける周波数領域と時間領域で区切られた無線リソースを示す図である。
【図２９】ＥＵＴＲＡにおけるＳＣＨのフレーム内の位置を示す図である。
【図３０】ＥＵＴＲＡにおけるセカンダリ同期チャネルＳ−ＳＣＨの構造の一例を示す図である。
【符号の説明】
【０１９１】
１１ａ〜１１ｉ・・・受信部、１２ａ〜１２ｉ・・・復調部、１３ａ〜１３ｉ・・・制御部、１４ａ〜１４ｉ・・・データ処理部、１５ａ〜１５ｉ・・・制御信号処理部、１６ａ〜１６ｉ・・・符号部、１７ａ〜１７ｉ・・・変調部、１８ａ〜１８ｉ・・・ＳＣＨ信号生成部、１９ａ〜１９ｉ・・・送信部、２０ａ〜２０ｉ・・・上位レイヤ、５１ａ・・・受信部、５２ａ・・・制御部、５３ａ・・・復調部、５４ａ・・・制御信号処理部、５５ａ・・・データ処理部、５６ａ・・・下り同期調整部、５７ａ・・・セルサーチ部、５８ａ・・・セル情報処理部、５９ａ・・・符号部、６０ａ・・・変調部、６１ａ・・・送信部、６２ａ・・・上位レイヤ、１０１・・・セルサーチ制御部、１０２・・・相関部、１０３・・・レプリカ信号選択部、１０４・・・Ｐ−ＳＣＨ判定部、１０５・・・Ｓ−ＳＣＨ判定部、１０６・・・Ｐ−ＳＣＨ信号保持部、１０７・・・Ｓ−ＳＣＨ信号保持部、１０８，１０９・・・合成部
【図１】
2009038786.tif 000023
【図２】
2009038786.tif 000024
【図３】
2009038786.tif 000025
【図４】
2009038786.tif 000026
【図５】
2009038786.tif 000027
【図６】
2009038786.tif 000028
【図７】
2009038786.tif 000029
【図８】
2009038786.tif 000030
【図９】
2009038786.tif 000031
【図１０】
2009038786.tif 000032
【図１１】
2009038786.tif 000033
【図１２】
2009038786.tif 000034
【図１３】
2009038786.tif 000035
【図１４】
2009038786.tif 000036
【図１５】
2009038786.tif 000037
【図１６】
2009038786.tif 000038
【図１７】
2009038786.tif 000039
【図１８】
2009038786.tif 000040
【図１９】
2009038786.tif 000041
【図２０】
2009038786.tif 000042
【図２１】
2009038786.tif 000043
【図２２】
2009038786.tif 000044
【図２３】
2009038786.tif 000045
【図２４】
2009038786.tif 000046
【図２５】
2009038786.tif 000047
【図２６】
2009038786.tif 000048
【図２７】
2009038786.tif 000049
【図２８】
2009038786.tif 000050
【図２９】
2009038786.tif 000051
【図３０】
2009038786.tif 000052